(57)【要約】【課題】比較的小さな板紙であっても十分な支持能力を得ることができ、材料コストを軽減してしかも、組み立て作業性の良好な支持体を提供する。【解決手段】第１底板４の左右側縁に連設された一対の第１支持板５を斜め上方に折り曲げる。第１支持板５に連設された第２支持板６を斜め下方に折り曲げる。第２支持板６の先端縁に連設された第２底板７を水平に折り曲げる。第１底板４の前後側縁に連設された折り返し片８を折り返し、第２底板７と接着する。山形状に起立する第１支持板５と第２支持板６とで支持部２を形成し支持部２の凹部３に柱状物品を横倒状態に支持して、箱内に収納する。【選択図】図１
2006069576.tif 000002
【特許請求の範囲】
【請求項１】
箱内に設けて複数の柱状物品を互いに間隔を存して横倒状態に支持する段ボール製の支持体であって、
矩形状の第１底板の左右側縁の夫々に第１折り目線を介して連設され、柱状物品に対応する形状の複数の切欠きが所定間隔を存して形成された一対の第１支持板を、第１折り目線に沿って斜め上方に折り曲げ、
各第１支持板の先端縁に第２折り目線を介して連設され、前記第１支持板の各切欠きに連続して柱状物品に対応する形状の複数の切欠きが所定間隔を存して形成された第２支持板を、夫々第２折り目線に沿って斜め下方に折り曲げ、
各第２支持板の先端縁に第３折り目線を介して連設された第２底板を、第３折り目線に沿って第１底板と同一平面上に水平に折り曲げ、
前記第１底板の前後側縁の夫々に第４折り目線を介して中央部が連設され、左右方向に延出する延出部を有する一対の折り返し片を、第４折り目線に沿って折り返して中央部を第１底板の下面に重合させると共に、折り返された各折り返し片の延出部の上面に前記第２底板の下面を接着してなることを特徴とする支持体。
【請求項２】
前記第１底板と各折り返し片との境界位置の夫々に開口部を設け、各折り返し片を折り返したときに第１底板の前後側縁に各開口部による把持用凹部が形成されることを特徴とする請求項１記載の支持体。
【請求項３】
箱内に設けて複数の柱状物品を互いに間隔を存して横倒状態に支持する段ボール製の支持体であって、
同一平面上の左右位置に所定距離を存して配設されて内側縁同士が互いに平行に対向する矩形状の一対の第１底板における各内側縁に第１折り目線を介して連設され、柱状物品に対応する形状の複数の切欠きが所定間隔を存して形成された一対の第１支持板を、第１折り目線に沿って斜め上方に折り曲げ、
各第１支持板の先端縁に第２折り目線を介して連設され、前記第１支持板の各切欠きに連続して柱状物品に対応する形状の複数の切欠きが所定間隔を存して形成された第２支持板を、夫々第２折り目線に沿って斜め下方に折り曲げ、
各第２支持板の先端縁に第３折り目線を介して連設された第２底板を、第３折り目線に沿って各第１底板と同一平面上に水平に折り曲げ、
両第１底板の前後側縁の夫々に第４折り目線を介して連設されて両第１底板を連結する一対の折り返し片を、第４折り目線に沿って折り返して各第１底板の下面に重合させると共に、折り返された各折り返し片の両第１底板間に露出する上面に前記第２底板の下面を接着してなることを特徴とする支持体。
【請求項４】
折り返された各折り返し片における両第１底板間に露出する位置の外側縁に把持用凹部を設けたことを特徴とする請求項３記載の支持体。
【発明の詳細な説明】
【技術分野】
【０００１】
本発明は、例えば人工腎臓等の柱状物品を横倒姿勢で複数配列して箱内に収めたとき、互いに隣り合う柱状物品同士の接触を防止して各柱状物品を支持する段ボール製の支持体に関する。
【背景技術】
【０００２】
従来、複数の柱状物品を横倒状態で所定間隔を存して支持する支持体が知られている（例えば、特許文献１参照）。この種の支持体は、一枚の板紙を折り曲げ接着して形成される。即ち、底板の一側縁に折り目線を介して連設された支持板形成部を、該折り目線に沿って底板上に折り返し、支持板形成部の一部を山折にして支持板を形成した後に該支持板形成部の他部（支持板の両側で底板に重合された部分）を底板に接着する。支持板には、山折にされた際に複数の凹部が形成され、この凹部に柱状物品を係合させて支持する。
【０００３】
しかし、このような支持体は、支持板形成部を底板上に折り返して底板に接着する構成であるために、底板に支持板形成部を接着するための部分を確保しなければならず、底板の形状が比較的大となる。このため、支持体を形成するための板紙の形状が大となり材料費が嵩む不都合がある。更に、支持板形成部を底板上に折り返して底板に接着する構成によると、段ボール板紙を材料として比較的大型の支持体を形成する場合には、支持板形成部を底板上に折り返す作業が煩わしく、作業性が悪い。また、支持板形成部を底板上に折り返して底板に接着する際にも、底板上における接着位置が特定できないために、支持体の形状にバラツキが生じる不都合がある。
【特許文献１】特開平１１−２９１７０号公報（図１、図２）
【発明の開示】
【発明が解決しようとする課題】
【０００４】
かかる不都合を解消して、本発明は、比較的小さな板紙であっても十分な支持能力を得ることができ、材料コストを軽減してしかも、組み立て作業性の良好な支持体を提供することを目的とする。
【課題を解決するための手段】
【０００５】
かかる目的を達成するために、本発明は、箱内に設けて複数の柱状物品を互いに間隔を存して横倒状態に支持する段ボール製の支持体であって、本発明の支持体の第１の態様は、矩形状の第１底板の左右側縁の夫々に第１折り目線を介して連設され、柱状物品に対応する形状の複数の切欠きが所定間隔を存して形成された一対の第１支持板を、第１折り目線に沿って斜め上方に折り曲げ、各第１支持板の先端縁に第２折り目線を介して連設され、前記第１支持板の各切欠きに連続して柱状物品に対応する形状の複数の切欠きが所定間隔を存して形成された第２支持板を、夫々第２折り目線に沿って斜め下方に折り曲げ、各第２支持板の先端縁に第３折り目線を介して連設された第２底板を、第３折り目線に沿って第１底板と同一平面上に水平に折り曲げ、前記第１底板の前後側縁の夫々に第４折り目線を介して中央部が連設され、左右方向に延出する延出部を有する一対の折り返し片を、第４折り目線に沿って折り返して中央部を第１底板の下面に重合させると共に、折り返された各折り返し片の延出部の上面に前記第２底板の下面を接着してなることを特徴とする。
【０００６】
本発明の支持体の第１の態様によれば、第１底板の左右側において夫々の第１支持板と第２支持板とを折り曲げるだけで山形状に起立して柱状物品を支持するための一対の平行する支持部を形成することができる。そして、折り返された各折り返し片の上面に各第２底板の下面を接着するだけで、第１支持板と第２支持板とによって形成された支持部の山形状を強固に維持することができる。第１支持板と第２支持板とは山形状に形成されることにより、切欠きによって形成された凹部が上方に開口して形成され、この凹部に柱状物品を係合させて確実に支持することができる。
【０００７】
このように、本発明の支持体は、折り返し片を設けて、折り返した後の折り返し片に接着することにより、第１支持板及び第２支持板を第１底板上に折り返すことなく柱状物品を支持するための支持部が形成できるので、組み立て作業を容易に行うことができる。しかも、材料となる段ボールを比較的小さくしても確実に支持できる大きさに支持板を形成することができるので、材料コストを抑えることができる。
【０００８】
また、本発明の支持体の第１の態様によれば、折り返し片の延出部の延出方向先端縁と第２底板の先端縁とを合致させて接着することにより、第１支持板と第２支持板との境界の第２折り目線の折り曲げ角度を一定として、第１支持板と第２支持板とによって形成される支持部の高さ寸法を正確に揃えることができ、支持体の形状にバラツキが生じることを確実に防止することができる。
【０００９】
更に、組み立て後の複数の支持体を積み重ねた際には、折り返し片の直下に位置する第１支持板と第２支持板とによって形成された山形状の支持部の頂部が折り返し片の下面に当接して安定した積み重ね状態を得ることができる。
【００１０】
また、本発明の支持体の第１の態様においては、前記第１底板と各折り返し片との境界位置の夫々に開口部を設け、各折り返し片を折り返したときに第１底板の前後側縁に各開口部による把持用凹部を形成することができるので、把持用凹部を把持して箱内への収容作業や箱からの取り出し作業を容易とすることができる。
【００１１】
また、本発明の支持体の第２の態様は、同一平面上の左右位置に所定距離を存して配設されて内側縁同士が互いに平行に対向する矩形状の一対の第１底板における各内側縁に第１折り目線を介して連設され、柱状物品に対応する形状の複数の切欠きが所定間隔を存して形成された一対の第１支持板を、第１折り目線に沿って斜め上方に折り曲げ、各第１支持板の先端縁に第２折り目線を介して連設され、前記第１支持板の各切欠きに連続して柱状物品に対応する形状の複数の切欠きが所定間隔を存して形成された第２支持板を、夫々第２折り目線に沿って斜め下方に折り曲げ、各第２支持板の先端縁に第３折り目線を介して連設された第２底板を、第３折り目線に沿って各第１底板と同一平面上に水平に折り曲げ、両第１底板の前後側縁の夫々に第４折り目線を介して連設されて両第１底板を連結する一対の折り返し片を、第４折り目線に沿って折り返して各第１底板の下面に重合させると共に、折り返された各折り返し片の両第１底板間に露出する上面に前記第２底板の下面を接着してなることを特徴とする。
【００１２】
本発明の支持体の第２の態様によれば、一対の第１底板の間において夫々の第１支持板と第２支持板とを折り曲げるだけで山形状に起立して柱状物品を支持するための一対の平行する支持部を形成することができる。そして、折り返された各折り返し片の上面に各第２底板の下面を接着するだけで、第１支持板と第２支持板とによって形成された支持部の山形状を強固に維持することができる。第１支持板と第２支持板とは山形状に形成されることにより、切欠きによって形成された凹部が上方に開口して形成され、この凹部に柱状物品を係合させて確実に支持することができる。
【００１３】
このように、本発明の支持体は、折り返し片を設けて、折り返した後の折り返し片に接着することにより、第１支持板及び第２支持板を第１底板上に折り返すことなく柱状物品を支持するための支持部が形成できるので、組み立て作業を容易に行うことができる。しかも、材料となる段ボールを比較的小さくしても確実に支持できる大きさに支持板を形成することができるので、材料コストを抑えることができる。
【００１４】
また、本発明の支持体の第２の態様においては、各折り返し片によって連結された一対の第１底板の間に、第１支持板と第２支持板とによって形成された支持部が平行して一対形成されるので、組み立て後の支持体の平面視形状と、組み立て前に各折り返し片のみを折り返したときの平面視形状とが同じ大きさとなる。これにより、組み立て前に各折り返し片のみを折り返して扁平な状態で箱内に収めておくことが可能となり、輸送や保管の際に有利となる。
【００１５】
更に、組み立て後の複数の支持体を積み重ねた際には、折り返し片の直下に位置する第１支持板と第２支持板とによって形成された山形状の支持部の頂部が折り返し片の下面に当接して安定した積み重ね状態を得ることができる。
【００１６】
本発明の支持体の第２の態様においては、折り返されたにおける両第１底板間に露出する位置の外側縁に把持用凹部を設けることが好ましい。これによって、把持用凹部を把持して箱内への収容作業や箱からの取り出し作業を容易とすることができる。
【発明を実施するための最良の形態】
【００１７】
先ず、本発明の第１の実施形態を図１乃至図５に基づいて説明する。図１は第１の実施形態の支持体を示す説明的斜視図、図２は図１の説明的平面図、図３は第１の実施形態の支持体の展開図、図４は第１の実施形態の支持体の組み立て工程を示す説明図、図５は第１の実施形態の支持体の積み重ね状態を示す説明図である。
【００１８】
第１の実施形態の支持体１は、図１及び図２に示すように、山形状に起立する一対の支持部２を備えている。支持体１は、図示しない箱に収納され、支持部２に設けられた複数の支持凹部３には、柱状物品である複数の人工腎臓Ｗ（図２において仮想線示する）が所定間隔を存して横倒状態で支持される。
【００１９】
支持部２は、第１底板４に連設された第１支持板５と第２支持板６とによって形成されている。第２支持板６には第２底板７が連設され、第２底板７は、その下面側の折り返し片８に接着されている。
【００２０】
第１の実施形態の支持体１の構成及び組み立て工程を詳細に説明する。支持体１は、図３に示すように、略矩形状に打ち抜いて形成された段ボール板紙９から組み立てられる。この板紙９は、矩形状の第１底板４が中央部に位置し、第１底板４の左右側縁の夫々には、第１折り目線１０を介して第１支持板５が連設されている。各第１支持板５の先端縁には、第２折り目線１１を介して第２支持板６が連設されている。第１支持板５と第２支持板６との夫々には互いに連続する切欠き１２（略楕円孔）が形成されている。そして、各第２支持板６の先端縁には、第３折り目線１３を介して第２底板７が連設されている。また、第１底板４の前後側縁の夫々には、一対の折り返し片８が連設されている。各折り返し片８は、その中央部が第４折り目線１４を介して第１底板４に連設されており、第１支持板５及び第２支持板６に沿って左右方向に延びる一対の延出部１５を備えている。第１支持板５及び第２支持板６と延出部１５とは切れ目線１６により分離される。更に、各折り返し片８と第１底板４との境界位置には開口部１７が形成されている。該開口部１７は後述する把持用凹部１８（図１参照）を形成するものである。
【００２１】
段ボール板紙９から支持体１を組み立てるときには、先ず、図４（ａ）に示す展開状態から、図４（ｂ）に示すように、各第１支持板５を第１折り目線１０に沿って第１底板４に対して斜め上方に折り曲げる。次いで、図４（ｃ）に示すように、各第２支持板６を第２折り目線１１に沿って各第１支持板５に対して斜め下方に折り曲げ、更に、各第２底板７を、第３折り目線１３に沿って第１底板４と同一平面上に水平に折り曲げる。これにより、第１支持板５と第２支持板６とによる支持部２が形成され、第１支持板５と第２支持板６との切欠き１２の上方が開放されて支持凹部３が形成される。
【００２２】
その後、両折り返し片８を第４折り目線１４に沿って内側に折り返し、その中央部を第１底板４の下側に重合させると同時に、延出部１５を各第２底板７の下側に重合させ、更に、延出部１５と各第２底板７とを接着する。これにより、支持部２が形成された状態を確実に維持することができる。またこのとき、延出部１５の端縁と各第２底板７の端縁とを一致させて両者を接着することにより、延出部１５における各第２底板７の接着位置が容易に判断でき、両支持部２の高さを正確に揃えることができる。そして、両折り返し片８を折り返したときには、前記開口部１７が半分となって重合し、外側に一方が開放された把持用凹部１８が形成される。
【００２３】
このように、第１の実施形態の支持体１によれば、各折り目線１０，１１，１３，１４に沿って各部を折り曲げた後、延出部１５と各第２底板７とを接着するだけで容易に組み立てることができる。しかも、図３に示すように、比較的小さな形状の板紙９から確実に人工腎臓Ｗを支持する支持体１が形成できるので、材料コストを抑えることができる。
【００２４】
そしてまた、第１の実施形態の支持体１によれば、図１に示すように、各支持部２の両端側の下方に折り返し片８が設けられるので、図５に示すように、積み重ねたときに各支持部２の両端側の頂部が折り返し片８に当接して安定した積み重ね状態を維持することができる。
【００２５】
次に、本発明の第２の実施形態を図６乃至図９に基づいて説明する。図６は第２の実施形態の支持体を示す説明的斜視図、図７は図６の説明的平面図、図８は第２の実施形態の支持体の展開図、図９は第２の実施形態の支持体の組み立て工程を示す説明図である。
【００２６】
第２の実施形態の支持体２０は、図６及び図７に示すように、山形状に起立する一対の支持部２１を備えている。支持体２０は、図示しない箱に収納され、支持部２１に設けられた複数の支持凹部２２には、柱状物品である複数の人工腎臓Ｗ（図７において仮想線示する）が所定間隔を存して横倒状態で支持される。
【００２７】
支持部２１は、一対の第１底板２３の夫々の内側縁に連設された第１支持板２４と第２支持板２５とによって形成されている。第２支持板２５には第２底板２６が連設され、第２底板２６は、その下面側の一対の折り返し片２７に接着されている。各折り返し片２７は両第１底板２３に連設されており、両第１底板２３と両折り返し片２７とにより枠状の底部が形成されている。
【００２８】
第２の実施形態の支持体２０の構成及び組み立て工程を詳細に説明する。支持体２０は、図８に示すように、略矩形状に打ち抜いて形成された段ボール板紙２８から組み立てられる。この板紙２８は、一対の第１底板２３が左右側に位置し、両第１底板２３の内側縁の夫々には、第１折り目線２９を介して第１支持板２４が連設されている。各第１支持板２４の内側方向に位置する先端縁には、第２折り目線３０を介して第２支持板２５が連設されている。第１支持板２４と第２支持板２５との夫々には互いに連続する切欠き３１（角孔）が形成されている。そして、各第２支持板２５の内側方向に位置する先端縁には、第３折り目線３２を介して第２底板２６が連設されている。また、両第１底板２３の前後側縁の夫々には、一対の折り返し片２７が連設されている。各折り返し片２７は、その両端部の内側縁が第４折り目線３３を介して各第１底板２３に連設されている。第１支持板２４、第２支持板２５及び第２底板２６は第１切れ目線３４により折り返し片２７から分離される。また、両第２底板２６は第２切れ目線３５により互いに分離される。更に、各折り返し片２７の中央位置の内側縁の一部には把持用凹部３６が形成されている。
【００２９】
段ボール板紙２８から支持体２０を組み立てるときには、先ず、図９（ａ）に示す展開状態から、図９（ｂ）に示すように、各第１支持板２４を第１折り目線２９に沿って第１底板２３に対して斜め上方に折り曲げる。次いで、図９（ｃ）に示すように、各第２支持板２５を第２折り目線３０に沿って各第１支持板２４に対して斜め下方に折り曲げ、更に、各第２底板２６を、第３折り目線３２に沿って両第１底板２３と同一平面上に水平に折り曲げる。これにより、第１支持板２４と第２支持板２５とによる支持部２１が形成され、第１支持板２４と第２支持板２５との切欠き３１の上方が開放されて支持凹部２２が形成される。
【００３０】
その後、両折り返し片２７を内側に折り返し、その両端部を各第１底板２３の下側に重合させると同時に、両第１底板２３の間に位置する部分３７を各第２底板２６の下側に重合させ、更に、当該部分３７と各第２底板２６とを接着する。これにより、支持部２１が形成された状態を確実に維持することができる。そして、両折り返し片２７を折り返したときには、前記把持用凹部３６が外側に位置される。
【００３１】
このように、第２の実施形態の支持体２０によれば、各折り目線２９，３０，３２，３３に沿って各部を折り曲げた後、折り返し片２７と各第２底板２６とを接着するだけで容易に組み立てることができる。しかも、図８示の板紙２８の状態と図７に示す組み立て後の支持体２０では、左右方向の寸法差が全く生じず、両折り返し片２７以外の平面視の大きさが全く同じであるため、比較的小さな形状の板紙２８から確実に人工腎臓Ｗを支持する支持体２０が形成でき、材料コストを抑えることができる。
【００３２】
そしてまた、第２の実施形態の支持体２０によれば、図６に示すように、各支持部２１の両端側の下方に折り返し片２７が設けられるので、図示は省略するが、積み重ねたときに各支持部２１の両端側の頂部が折り返し片２７に当接して安定した積み重ね状態を維持することができる。
【図面の簡単な説明】
【００３３】
【図１】本発明の第１の実施形態の支持体を示す説明的斜視図。
【図２】図１の説明的平面図。
【図３】第１の実施形態の支持体の展開図。
【図４】第１の実施形態の支持体の組み立て工程を示す説明図。
【図５】第１の実施形態の支持体の積み重ね状態を示す説明図。
【図６】本発明の第２の実施形態の支持体を示す説明的斜視図。
【図７】図６の説明的平面図。
【図８】第２の実施形態の支持体の展開図。
【図９】第２の実施形態の支持体の組み立て工程を示す説明図。
【符号の説明】
【００３４】
Ｗ…人工腎臓（柱状物品）、１，２０…支持体、４，２３…第１底板、５，２４…第１支持板、６，２５…第２支持板、７，２６…第２底板、８，２７…折り返し片、１０，２９…第１折り目線、１２，３１…切欠き、１１，３０…第２折り目線、１３，３２…第３折り目線、１４，３３…第４折り目線、１５…延出部、１７…開口部、１８，３６…把持用凹部。
【図１】
2006069576.tif 000003
【図２】
2006069576.tif 000004
【図３】
2006069576.tif 000005
【図４】
2006069576.tif 000006
【図５】
2006069576.tif 000007
【図６】
2006069576.tif 000008
【図７】
2006069576.tif 000009
【図８】
2006069576.tif 000010
【図９】
2006069576.tif 000011